(57)【要約】【課題】  オーディオ機器において高い配置自由度と機器の配置に関連して使用者にかかる負担の低減と実用性の確保を達成する。【解決手段】  無線コンポ１１を構成する自ユニット（例えば本体ユニット２０またはスピーカユニット３０）と他のユニット（例えばスピーカユニット３０または本体ユニット２０）との間にユーザチャンネル（無線チャンネル）を設定し、このユーザチャンネルを介して両ユニット間でデータ転送を行う。ただし、上記ユーザチャンネルの帯域は転送されるデータの内容、相手ユニットの種別、無線リソースの空き状況の少なくとも一つに応じて設定される。【選択図】      図１
2005341618.tif 000002
【特許請求の範囲】
【請求項１】
他の無線オーディオ機器との間でデータを転送する無線オーディオ機器であって、
前記他のオーディオ機器との間に該他のオーディオ機器用の無線チャンネルを設定する無線チャンネル設定部と、
前記データに応じて前記無線チャンネルの帯域を設定する帯域設定部と、
前記帯域設定部により帯域が設定された前記無線チャンネルを介して前記他の無線オーディオ機器との間で前記データを転送する転送部と
を具備することを特徴とする無線オーディオ機器。
【請求項２】
他の無線オーディオ機器との間でデータを転送する無線オーディオ機器であって、
前記他のオーディオ機器との間に該他のオーディオ機器用の無線チャンネルを設定する無線チャンネル設定部と、
前記他の無線オーディオ機器の種別に応じて前記無線チャンネルの帯域を設定する帯域設定部と、
前記帯域設定部により帯域が設定された前記無線チャンネルを介して前記他の無線オーディオ機器との間で前記データを転送する転送部と
を具備することを特徴とする無線オーディオ機器。
【発明の詳細な説明】
【技術分野】
【０００１】
本発明は、他の無線オーディオ機器との間でデータを転送する無線オーディオ機器に関する。
【背景技術】
【０００２】
コンポーネントタイプのオーディオシステムにおける各種音源を備えたオーディオ本体とスピーカとの接続方式としては有線接続が一般的である。また、コンポーネントタイプのオーディオシステムのリモートコントローラとしては、赤外線を用いて信号を送信するタイプのものが一般的である。
【発明の開示】
【発明が解決しようとする課題】
【０００３】
本体とスピーカを有線接続するオーディオシステムにおいては、スピーカの設置時や配置変更時、構成変更時などに、本体とスピーカとの間の配線を考慮する必要がある。
【０００４】
より具体的に説明するために、ここでは、オーディオチャンネル数が２ｃｈのステレオ再生環境から、オーディオチャンネル数が６ｃｈ（５．１ｃｈ）のサラウンド再生環境へ移行する場合について検討する。この場合、４つのスピーカが追加されるため、本体とスピーカ間の配線数は６本となる。しかも、サラウンド効果を十分に得るためには各スピーカを分散配置する必要があることから、設置空間内に多数の線が張り巡らされることになる。通常、このような配線は美観を考慮して目立たないように隠されるが、スピーカや本体の移設時には再配線する必要があることから、隠し方にも配慮が必要となる。
【０００５】
このように、従来のオーディオシステムでは、その配置時や配置変更時に使用者にかかる負担が大きく、かつシステムを構成する機器の配置の自由度が低いという問題がある。なお、ＦＭ波を用いてオーディオ信号を送信するようにすれば上記問題を回避できるが、ＦＭ変調時のオーディオ信号の劣化や、受信状況によるオーディオ信号の意図せぬ品質劣化などの問題があり、現実的な解とはなり得ない。
【０００６】
また、アンプを内蔵したリモートコントロール可能なスピーカをサラウンドスピーカとして使用する場合、使用者は、例えば、当該スピーカ用のリモートコントローラを当該スピーカに向けて操作することで当該スピーカを遠隔制御して音量を調節し、本体用のリモートコントローラを本体に向けて操作することで本体を遠隔制御してオーディオデータの再生を開始することになる。すなわち、使用者に繁雑な操作が要求されるという問題がある。
【０００７】
本発明は上述した事情に鑑みて為されたものであり、高い配置自由度を有し、配置に関連して使用者にかかる負担を低減することができる実用的な無線オーディオ機器を提供することを目的としている。
【課題を解決するための手段】
【０００８】
上述した課題を解決するために、請求項１または２に記載の無線オーディオ機器は、他の無線オーディオ機器との間でデータを転送する無線オーディオ機器であって、前記他のオーディオ機器との間に該他のオーディオ機器用の無線チャンネルを設定する無線チャンネル設定部と、前記データに応じて前記無線チャンネルの帯域を設定する帯域設定部、または前記他の無線オーディオ機器の種別に応じて前記無線チャンネルの帯域を設定する帯域設定部と、前記帯域設定部により帯域が設定された前記無線チャンネルを介して前記他の無線オーディオ機器との間で前記データを転送する転送部とを具備することを特徴としている。
【発明の効果】
【０００９】
本発明によれば、他の無線オーディオ機器毎に適切な帯域の無線チャンネルを設定できるため、実用的な無線オーディオ機器を提供することができる。また他の無線オーディオ機器との接続は無線チャンネル経由であることから、機器の配置の自由度の向上、配置に関連して使用者に係る負担の低減、および美観の向上を達成することができる。さらに、無線リソースの空き状況に応じて無線チャンネルの帯域やデータの密度を変化させるようにすれば、より実用的なオーディオ機器を提供することができる。また、他の無線オーディオの追加に応じて自動的に無線チャンネルを設定するようにすれば、使用者に係る負担をより一層、低減することができる。また、他のオーディオ機器に転送するデータを切り換え可能とすることにより、より自由度の高いオーディオ環境を提供することができる。さらに、二次電池を使用すれば電源も無線となることから、より自由度が高く、かつ美観に優れたオーディオ環境を提供することができる。
【発明を実施するための最良の形態】
【００１０】
以下、本発明の実施形態について図面を参照して説明する。
Ａ：全体構成
図１は本発明の一実施形態に係る無線コンポ（無線オーディオコンポーネントシステム）１１を用いたオーディオシステム１０の全体構成を示す図であり、この図において、１２はインターネット、１３はインターネットに接続可能な携帯型のＰＣ（パーソナルコンピュータ）である。
【００１１】
無線コンポ１１において、２０は本体ユニット、３０はスピーカユニットであり、両者は連携してオーディオ再生を行う。また、４０はリモコン（リモートコントローラ）であり、本体ユニット２０とスピーカユニット３０を遠隔操作する機能と、携帯電話機の機能と、移動通信網経由でインターネットに接続する機能を備えている。
【００１２】
本体ユニット２０において、２１は後述する各種オーディオ記録媒体が挿入されるメディアスロットである。なお、オーディオ記録媒体の種別毎にスロットを設けるのではなく、一つのスロットに各種オーディオ記録媒体を挿入可能としたのは、どのようなオーディオ記録媒体であっても唯一のメディアスロット２１に挿入すれば良いようにし、使用者の使い勝手を良くするためである。また、スピーカユニット３０において、３１は正面に設けられた液晶タッチパネル、３２は両側面に設けられた放音部である。なお、スピーカユニット３０に２つの放音部３２を設けたのは、移設の容易性や省スペース性を確保するためである。
【００１３】
図２はスピーカユニット３０の外観を示す図である。この図において、３３は収納可能な電源ケーブルであり、例えばコードリール式の電源ケーブルである。３４は電源ケーブル３３を収納するための収納部である。なお、図示を略すが、スピーカユニット３０は２次電池を内蔵しており、一時的な配置変更時などに２次電池を用いた駆動を可能としている。このような工夫により、美観や取り扱いの容易性が確保される。
【００１４】
上記ＰＣ１３、本体ユニット２０、スピーカユニット３０及びリモコン４０は２．４ＧＨｚ帯の無線ＬＡＮ（ローカルエリアネットワーク）を構成している。各ユニットの論理的な接続関係は図３に示す通りである。
図３に示すように、当該無線ＬＡＮは３つの単位ネットワークから構成されている。なお、ここでは、同一の物理チャンネルを使用するネットワークを単位ネットワークと称する。単位ネットワークＮ１は本体ユニット２０及びスピーカユニット３０の２つのノードをユーザチャンネルＣＨ１１によりポイント・トゥ・ポイント接続して構成されており、当該単位ネットワークにおいて本体ユニット２０はマスターノード、スピーカユニット３０はスレーブノードとして機能する。なお、マスターノードは無線チャンネルの制御や管理を集中して行うノードであり、スレーブノードはマスターノードの管理下におかれるノードである。なお、実際には、単位ネットワークＮ１内のマスターノードと各スレーブノードは制御チャンネルＣＣＨ１を介して通信可能であるが、制御チャンネルはユーザチャンネルを設定するためのチャンネルであり、デジタルオーディオストリーム等の実データはユーザチャンネル経由で送受されることから、ここでは図示を省略している。
【００１５】
また、単位ネットワークＮ２はリモコン４０に本体ユニット２０及びスピーカユニット３０をポイント・トゥ・マルチポイント接続して構成されており、当該単位ネットワークにおいてリモコン４０はマスターノード、本体ユニット２０及びスピーカユニット３０はそれぞれスレーブノードとして機能する。このように、単位ネットワークＮ１でマスターノードとして機能する本体ユニット２０は単位ネットワークＮ２ではスレーブノードとして機能する。また、スピーカユニット３０は単位ネットワークＮ１におけるスレーブノードであると同時に単位ネットワークＮ２におけるスレーブノードでもある。なお、実際には、単位ネットワークＮ２内のマスターノードと各スレーブノードとは制御チャンネルＣＣＨ２を介して通信可能である。
【００１６】
さらに、単位ネットワークＮ３はＰＣ１３に本体ユニット２０及びスピーカユニット３０をポイント・トゥ・マルチポイント接続して構成されており、当該単位ネットワークにおいて、ＰＣ１３はマスターノード、本体ユニット２０及びスピーカユニット３０はそれぞれスレーブノードとして機能する。なお、実際には、単位ネットワークＮ３内のマスターノードと各スレーブノードとは制御チャンネルＣＣＨ３を介して通信可能である。
図３から明らかなように、スレーブノードはマスターノードとのみ通信可能であり、スレーブノード間の直接的な通信は不可能である。
【００１７】
Ｂ：要部の構成
図４はオーディオシステム１０を構成する要部の構成を示すブロック図である。この図には仮想無線バス５０が図示されているが、これは仮想無線バス５０が実際に存在することを意味するものではなく、当該仮想無線バス５０に接続されているノードが無線チャンネル経由で他のノードと通信可能であることを意味している。
【００１８】
ＰＣ１３において、１３１は各部を制御する制御部であり、例えば、ＲＯＭ（Read Only Memory）に格納されたプログラムをＣＰＵ（中央処理装置）が実行することにより上記制御を行う（図示略）。１３２は制御部のワークメモリとして使用されるＲＡＭ（Random Access Memory）、１３３は制御部から渡されたデータを格納するＨＤＤ（ハードディスク）、１３４は仮想無線バス５０を介して他のノードと通信するための無線ユニットであり、制御部１３１からのデータを他のノードへ送信するとともに、他のノードからのデータを受信し、制御部１３１へ供給する。
【００１９】
１３５は内部バスであり、上記各部は当該内部バス１３５を介して通信する。また、図示を略すがＰＣ１３はインターネット１２に接続するための有線接続インタフェースと、制御部１３１へ使用者の指示を入力するための操作部とを備えており、制御部１３１は当該指示に基づいて作動する。なお、制御部１３１が各部と連携して作動することで実現されるＰＣ１３の機能（無線チャンネル設定部、帯域設定部、転送部、及び監視部の機能）については後述する。
【００２０】
本体ユニット２０において、２２はＭＤ（ミニディスク）を再生してデジタルオーディオストリームを出力するＭＤプレーヤ、２３はＣＤ（コンパクトディスク）を再生してデジタルオーディオストリームを出力するＣＤプレーヤ、２４はＤＶＤ（Digital Versatile Disc）オーディオ（DVD-Audio）を再生してデジタルオーディオストリームを出力するＤＶＤプレーヤ、２５は内部に格納されたフラッシュメモリ等の半導体に対してデジタルオーディオストリームの書き込み／読み出しを行う半導体録再部であり、読み出したデジタルオーディオストリームを出力する。
【００２１】
２６は各部２２〜２５から出力されるデジタルオーディオストリームを復調する復調器であり、各部２２〜２６は内部バス２７により接続されている。また、復調器２６は復調後のデジタルオーディオストリームから所定の形式のデジタルオーディオストリームを生成し、生成されたデジタルオーディオストリームを圧縮符号化して出力する。なお、所定の形式のデジタルオーディオストリームは、曲番や先頭からの経過時間情報、楽曲のタイトル等の書誌情報を格納するフィールドを備えている。
【００２２】
２８は仮想無線バス５０を介して他のノードと通信するための無線ユニット、２９は各部を制御する制御部であり、図示を略すが、プログラムや図５に示すストリームバインド一覧テーブルＴ４、図６に示す重み付けテーブルＴ５等が格納されたＲＯＭと、当該プログラムを実行するＣＰＵと、図７に示すストリームバインドテーブルＴ３等を格納したフラッシュメモリと、図８R>８に示すノードバインドテーブルＴ１や図９に示すスピーカユニットテーブルＴ２を格納するＲＡＭとを内蔵している。なお、上記フラッシュメモリ及びＲＡＭはＣＰＵに読み書きされるものである。
【００２３】
上記無線ユニット２８は、復調器２６から出力されたデジタルオーディオストリーム及び制御部２９からのデータを他のノードへ送信するとともに、他のノードからのデータを受信し、半導体録再部２５及び制御部２９へ供給する。ただし、無線ユニット２８から半導体録再部２５へのデータ供給は無線ユニット２９により制御される。なお、上記制御部２９と各部が連携して作動することで実現される本体ユニット２０の機能（無線チャンネル設定部、帯域設定部、転送部、検出部、圧縮部、切り換え部、及び監視部の機能）については後述する。
【００２４】
スピーカユニット３０において、３５は仮想無線バス５０を介して他のノードと通信するための無線ユニット、３６は無線ユニット３５により受信されたデジタルオーディオストリームをアナログ信号へ変換して出力するＤＡＣ（デジタル／アナログ変換器）、３７はＤＡＣ３６の出力信号を後述の制御部３９内に設定された音量値に応じた増幅度で増幅して出力するアンプ、３８はアンプ３７の出力信号に応じて発音するスピーカである。
【００２５】
なお、スピーカユニット３０は２つのスピーカ３８を備えており、ＤＡＣ３６はデジタルオーディオストリームを一方のスピーカ３８用の成分（以後、一方成分）と他方のスピーカ３８用の成分（以後、他方成分）とに分離し、両成分をそれぞれアナログ信号に変換して出力する。また、アンプ３７は一方成分用の入力端および出力端と他方成分用の入力端および出力端とを備えており、ＤＡＣ３６から出力された２系統のアナログ信号をそれぞれ増幅して対応するスピーカ３８へ供給する。
【００２６】
制御部３９は前述の制御部２９と同一のハードウェア構成を有する。ただし、ＲＯＭに格納されたデータ、フラッシュメモリに格納されたデータ、及びＲＡＭに格納されるデータは制御部２９と異なる。例えば、制御部３９のフラッシュメモリには、アンプ３７の増幅度を規定する音量値や液晶タッチパネル３１等を用いて提供されるユーザインタフェースを実現するためのデータ等が格納されている。
【００２７】
前述の無線ユニット３５は他のノードからのデータを受信し、受信したデータをＤＡＣ３６及び制御部３９へ供給するとともに、制御部３９からのデータを他のノードへ送信する。なお、無線ユニット３５からＤＡＣ３６へのデータ供給は制御部３９により制御される。なお、上記制御部３９と各部が連携して作動することで実現されるスピーカユニット３０の機能（無線チャンネル設定部、帯域設定部、及び転送部の機能）については後述する。
【００２８】
なお、リモコン４０は、仮想無線バス５０を介して他のノードと通信するための無線ユニットと、移動通信網を介してインターネット１２への接続や音声通話を実現するための無線部、操作部、スピーカ、マイク、ＲＯＭ、ＣＰＵ、フラッシュメモリ、ＲＡＭ等とを備えている（図示略）。これらの構成要素は本体ユニット２０及びスピーカユニット３０を遠隔制御するためにも使用される。なお、上記ＣＰＵが各部と連携して作動することで実現されるリモコン４０の機能（無線チャンネル設定部、帯域設定部、転送部、検出部、及び監視部の機能）については後述する。
【００２９】
Ｃ：機能
各マスターノード（ＰＣ１３、本体ユニット２０、リモコン４０）は、対応する単位ネットワークの制御チャンネルを用いて探索パケットを定期的に送出し、当該探索パケットに対する応答パケットを監視することで各単位ネットワーク内のスレーブノードを探索する機能と、各単位ネットワーク内のスレーブノードに対してユーザチャンネルを設定し、この設定情報を制御チャンネルを介して当該スレーブノードへ通知する機能と、前回のユーザチャンネルの設定時から存在するスレーブノードに対するユーザチャンネルを変更しない機能とを有する。
【００３０】
また、各スレーブノード（本体ユニット２０、スピーカユニット３０）は、対応する単位ネットワークの制御チャンネルを用いてマスターノードから送信された探索パケットを受信する機能と、自ノードを一意に特定可能なノード識別情報（例えば製造番号）と自ノードの種類を示すノード種別情報を含む応答パケットを当該探索パケットの受信時に返送する機能と、当該制御チャンネルを用いて通知された情報に基づいてユーザチャンネルを設定する機能とを有する。
【００３１】
また、本体ユニット２０は、ユーザチャンネルの設定時に制御部２９内のノードバインドテーブルＴ１に、スピーカユニット３０のノード識別情報およびノード種別情報と当該ユーザチャンネルを示すユーザチャンネル情報とを対応付けて格納する機能と、当該ノード種別情報がスピーカを示す情報（例えば“SPK”）の場合には、当該ノード識別情報のスレーブノードが何番目に検出されたスピーカであるかを示すスピーカ検出順をノードバインドテーブルＴ１に基づいて特定し、このスピーカ検出順と当該ユーザチャンネル情報とを対応付けてスピーカユニットテーブルＴ２に格納する機能と、ノードバインドテーブルＴ１、ストリームバインドテーブルＴ３、及びストリームバインド一覧テーブルＴ４に基づいて、ノード種別情報がスピーカを示すスレーブノードに割り当てられたユーザチャンネルに割り当てるストリームバインド情報を特定し、この情報をスピーカユニットテーブルＴ２内の対応するレコードに格納する機能と、スピーカユニットテーブルＴ２に基づいて、ストリームバインド情報を対応するユーザチャンネルへ送信する機能とを備えている。
【００３２】
また、スピーカユニット３０は自ユニットに割り当てられたユーザチャンネル経由で送信されてきたデータを受信し、当該データに応じた情報を液晶タッチパネル３１に表示させる機能を有する。
【００３３】
また、操作部を有するマスターノード（ＰＣ１３、リモコン４０）は、操作部の操作に応じた指示を対応する単位ネットワーク内のスレーブノードへユーザチャンネル経由で同報送信する機能を有する。なお、ＰＣ１３は自機内に格納されたデジタルオーディオデータを本体ユニット２０へ、ユーザインタフェースを実現するためのデータをスピーカユニット３０へ送信する機能を備えており、リモコン４０は自機内に格納されたデジタルオーディオデータを操作部の操作に応じて本体ユニット２０へ送信する機能を備えている。
【００３４】
また、各スレーブノード（本体ユニット２０、スピーカユニット３０）は、対応するマスターノードからユーザチャンネル経由で送信されてきた指示を受信し、この指示が実現可能な指示であれば当該指示に応じた処理を行う機能を有する。
【００３５】
本体ユニット２０が実現可能な指示としては、ＭＤの再生指示、ＣＤの再生指示、ＤＶＤの再生指示、半導体録再部２５に対する再生指示、ノードバインドテーブルＴ１に格納されたノードを用いて実現可能な再生指示、ストリームバインドの切り換え指示、デジタルオーディオデータの格納指示などがあり、ストリームバインドの切り換え指示を受信すると、本体ユニット２０はスピーカユニットテーブルＴ２を参照し、ストリームバインドテーブルＴ３の該当するストリームバインド種別情報を巡回的に変更する。また、デジタルオーディオデータの格納指示を受信すると、本体ユニット２０は当該指示に後続するデジタルオーディオデータを受信し、これを半導体録再部２５内の半導体に書き込む。なお、本体ユニット２０は、ノードバインドテーブルＴ１に格納されていないノードを用いて実現可能な再生指示を受信すると、本体ユニット２０は、当該再生指示の実現に必要なノードが単位ネットワークＮ１内に存在しない旨のデータをスピーカユニット３０へ送信する。
【００３６】
また、スピーカユニット３０が実現可能な指示としては、各種再生指示、音量増減指示やユーザインタフェースの更新指示などがあり、音量増減指示を受信すると、スピーカユニット３０は制御部３９に設定された音量値を当該指示の内容に応じて更新する。また、ユーザインタフェースの更新指示を受信すると、スピーカユニット３０は、当該指示に後続するデータを受信し、このデータがユーザインタフェースを実現するためのデータとして適切か否かを判定し、適切な場合にのみ、現在のユーザインタフェースを実現するためのデータに上書きする。
【００３７】
また、本体ユニット２０は、復調後のデジタルオーディオストリームから各オーディオチャンネル成分を抽出するとともに、無線リソースの空き状況（例えば「多」／「少」）を調べ、上記空き状況と重み付けテーブルＴ５とに基づいて各成分を間引く機能を有する。例えば、無線リソースが「多」であれば全てのオーディオチャンネル成分は間引かれず、無線リソースが「小」であれば予め設定されたオーディオチャンネル成分が予め設定された帯域比となるように間引かれる。なお、本体ユニット２０は、スレーブノードから送信されてきたデジタルオーディオストリームを受信して伸長復号化し、復号化後のストリームを上記復調後のデジタルオーディオストリームとして取り扱う機能をも有する。
【００３８】
さらに、本体ユニット２０は、間引き処理後の各オーディオチャンネル成分をストリームバインドテーブルＴ２に基づいて合成して所定の形式のデジタルオーディオストリームを生成し、当該ストリームを圧縮符号化し、圧縮符号化されたストリームを、ストリームバインドテーブルＴ２にて当該ストリームに対応付けられたユーザチャンネル経由で送信する機能を有する。例えば、図９に示す例では、Ｌ（Left）オーディオチャンネル成分とＲ（Right）オーディオチャンネル成分とを合成・圧縮符号化して得られたストリームはユーザチャンネルＣＨ１１経由で送信される。
【００３９】
また、スピーカユニット３０は、本体ユニット２０から送信されてきたデジタルオーディオストリームを受信すると、当該ストリームを伸長復号化し、復号後のストリーム内の書誌情報に応じた情報を液晶タッチパネル３１に表示させるとともに、復号後のストリームから当該書誌情報を取り除いて得られるストリームを一方成分と他方成分に分離する機能を有する。なお、当該ストリーム中に含まれるオーディオチャンネル成分が単数の場合には、一方成分と他方成分は同一の成分となる。
【００４０】
Ｄ：動作
まず、インターネット１２を除くオーディオシステム１０の構成要素の電源投入によって、ユーザチャンネルの設定が行われる。この設定動作について図１０及び図１１R>１を参照して説明する。ただし、ここでは、スピーカユニット３０、本体ユニット２０、リモコン４０及びＰＣ１３は通信可能圏に在圏し、スピーカユニット３０、本体ユニット２０、リモコン４０、ＰＣ１３の順に電源が投入されるものとする。なお、図１０はマスターノードのユーザチャンネル設定動作を示すフローチャート、図１１はスレーブノードのユーザチャンネル設定動作を示すフローチャートである。
【００４１】
（１）ユーザチャンネルの設定動作
単位ネットワークＮ１においては、本体ユニット２０の図示せぬ電源が投入されると、本体ユニット２０の無線ユニット２８は制御チャンネルＣＣＨ１を介して探索パケットを送出することで、通信可能なスレーブノードを単位ネットワークＮ１内で探索する（ステップＳＡ１，ＳＢ１）。ここではスピーカユニット３０の電源が既に投入されていることから、スピーカユニット３０からは探索パケットに対応した応答パケットが返送され、スレーブノードとしてスピーカユニット３０が検出される（ステップＳＢ２，ＳＡ２）。スピーカユニット３０が検出されると、スピーカユニット３０との間でユーザチャンネルの設定処理が行われ、以後、本体ユニット２０とスピーカユニット３０は制御チャンネルＣＣＨ１及びユーザチャンネルＣＨ１１を介して通信可能となる（ステップＳＡ３，ＳＢ３）。
【００４２】
上記設定処理においては、本体ユニット２０の制御部２９内のノードバインドテーブルＴ１にスピーカユニット３０のノード識別情報およびノード種別情報（ここではスピーカを示す情報）とユーザチャンネルＣＨ１１を示すユーザチャンネル情報とが対応付けて格納されるとともに、スピーカユニットテーブルＴ２に単位ネットワークＮ１内のスピーカユニット３０として１番目に検出されたことを示すスピーカ検出順とユーザチャンネルＣＨ１１を示すユーザチャンネル情報とが対応付けて格納される。
【００４３】
また、制御部２９ではストリームバインドテーブルＴ３からスピーカユニット３０の数に応じたストリームバインド種別情報（ここでは１）が取得され、この情報とスピーカユニット３０の数（ここでは１）とスピーカ検出順とに基づいてストリームバインド一覧テーブルＴ４からストリームバインド情報（ここではＬ＋Ｒ）が読み出され、スピーカユニットテーブルＴ２内の対応するレコードに格納されるとともに、ユーザチャンネルＣＨ１１を介してスピーカユニット３０へ送信される。
【００４４】
一方、スピーカユニット３０では本体ユニット２０から送信されてきたストリームバインド情報に応じた情報が液晶タッチパネル３１に表示される。これにより、使用者はスピーカユニット３０にバインドされたストリームの種別を知ることができる。
【００４５】
単位ネットワークＮ２，Ｎ３においても図１０１０のステップＳＡ１〜ＳＡ３の処理および図１１に示す処理が行われる。ただし、上記各テーブルに関連した処理は単位ネットワークＮ１においてのみ行われる。この結果、リモコン４０と本体ユニット２０との間で制御チャンネルＣＣＨ１及びユーザチャンネルＣＨ２１を介した通信が、リモコン４０とスピーカユニット３０との間で制御チャンネルＣＣＨ１及びユーザチャンネルＣＨ２２を介した通信が、ＰＣ１３と本体ユニット２０との間で制御チャンネルＣＣＨ１及びユーザチャンネルＣＨ３１を介した通信が、リモコン４０とスピーカユニット３０との間で制御チャンネルＣＣＨ１及びユーザチャンネルＣＨ３２を介した通信が可能となる。
このような動作の結果、各ノードの接続関係は図３に示す関係となる。
【００４６】
（２）ユーザチャンネルの再設定動作
ここで、スピーカユニット３０の電源が他の機器の電源に遅れて投入された場合のユーザチャンネルの再設定動作について説明する。この場合、スピーカユニット３０の電源が投入される前に本体ユニット２０によるユーザチャンネルの設定が行われており、各ノードの接続関係は図１２に示す関係となっている。
【００４７】
単位ネットワークＮ１においては、本体ユニット２０の無線ユニット２８は制御チャンネルＣＣＨ１を用いて探索パケットを送出することで単位ネットワークＮ１を定期的に監視している（ステップＳＡ４，ＳＡ５）。この状況下でスピーカユニット３０の電源が投入されると、本体ユニット２０からの探索パケットに対応してスピーカユニット３０から応答パケットが返信されてくる（ステップＳＢ１，ＳＢ２）。この応答パケットをもって無線ユニット２８はスピーカユニット３０をスレーブノードとして検出する。このスピーカユニット３０はノードバインドテーブルＴ１に未登録であることから、無線ユニット２８は単位ネットワークＮ１内でノードの追加があったと判断され（ステップＳＡ５）、当該ノードについて、ステップＳＡ１及びＳＢ３と同様の処理が行われる（ステップＳＡ６，ＳＢ３）。以後、処理は単位ネットワークＮ１の監視処理に戻る。
【００４８】
単位ネットワークＮ２，Ｎ３においても図１０１０のステップＳＡ４〜ＳＡ６の処理および図１１に示す処理が行われる。ただし、上記各テーブルに関連した処理は単位ネットワークＮ１においてのみ行われる。このような動作の結果、各ノードの接続関係は図３に示す関係となる。
【００４９】
なお、ここで、スピーカユニット３０の電源が切断されると、無線ユニット２８においてスピーカユニット３０からの応答パケットを受信できないことから、スピーカユニット３０の削除が検出される（ステップＳＡ５）。スピーカユニット３０の削除が検出されると、スピーカユニット３０との間に設定されたユーザチャンネルＣＨ１１が解放されるとともに、スピーカユニット３０に関する情報がノードバインドテーブルＴ１及びスピーカユニットテーブルＴ２から削除される（ステップＳＡ６）。以後、処理は単位ネットワークＮ１の監視処理に戻る。単位ネットワークＮ２，Ｎ３においても、上記各テーブルに関連した処理を除いた上記処理と同様の処理が行われ、各ノードの接続関係は図１２に示す関係となる。
【００５０】
（３）再生動作
図３に示す接続関係が実現されている状況下で使用者がＣＤを本体ユニット２０のメディアスロット２１へ挿入し、リモコン４０を操作してＣＤの再生指示を入力すると、当該指示がユーザチャンネルＣＨ２１及びＣＨ２２を介してリモコン４０から本体ユニット２０及びスピーカユニット３０へ送信される。この指示が本体ユニット２０の無線ユニット２８に受信されると、制御部２９は当該指示に従った再生設定を行う。ここでは、当該指示はＣＤの再生指示であることから、特別な設定は行われない（ステップＳＣ１〜ＳＣ３）。
【００５１】
上記再生設定が完了すると、ＣＤプレーヤ２３がＣＤを再生し、ＣＤプレーヤ２３から出力されたデジタルオーディオストリームが復調器２６において復調される。復調器２６では、復調後のデジタルオーディオストリームとユーザチャンネルＣＨ１１に対して設定されたストリームバインド情報（ここではＬ＋Ｒ）とに基づいて所定の形式のデジタルオーディオストリームが生成される。このストリームは圧縮符号化されて無線ユニット２８に供給され、ユーザチャンネルＣＨ１１を介してスピーカユニット３０へ送信される。
【００５２】
一方、ＣＤの再生指示がスピーカユニット３０の無線ユニット３５に受信されると、当該指示に従った制御部３９により液晶タッチパネル３１が制御される。この結果、液晶タッチパネル３１には音源がＣＤであることを示す情報が表示される。この状況下で、本体ユニット２０からのデジタルオーディオストリームが無線ユニット３５に受信されると、このデータはＤＡＣ３６にて伸長復号化される。さらに、伸長復号化されたデジタルオーディオストリーム内の書誌情報が制御部２９により抽出され、当該書誌情報に応じた情報が液晶タッチパネル３１に表示される。また、上記書誌情報が取り除かれたデジタルオーディオストリームはＤＡＣ３６において一方成分と他方成分に分離された後にアナログ信号に変換される。
【００５３】
これら２系統のアナログ信号はそれぞれアンプ３７にて制御部３９内に設定された音量値に応じた増幅度で増幅され、各々に対応したスピーカ３８へ供給される。これにより、一方成分用のスピーカ３８からＬオーディオチャンネル成分の音が、他方成分用のスピーカ３８からＲオーディオチャンネル成分の音が出力される。
なお、ＭＤや半導体からの再生については、音源が異なる点を除けば上述のＣＤからの再生動作と同様の動作となるため、その説明を省略する。
【００５４】
ＤＶＤからの再生については音源が異なる点を除いても上述のＣＤからの再生動作と異なる点がある。ＤＶＤからの再生では、制御部２９は無線ユニット２８を制御して無線リソースの空き状況（例えば「少」）を調べ、復調後のＬ、Ｒ、ＬＳ（Left Surround）、ＲＳ（Right Surround）、Ｃ（Center）、ＬＦＥ（LowFrequency Effects）の計６つのオーディオチャンネル成分からなるストリームに対して、当該空き情報と重み付けテーブルＴ５に従った間引き処理を行い、スピーカユニットテーブルＴ２においてユーザチャンネルＣＨ１１に対して設定されたストリームバインド情報（ここではＬ＋Ｒ）に応じた所定の形式のストリームを間引き処理後のストリームから生成するように復調器２６を制御する（ステップＳＣ４，ＳＣ５）。
【００５５】
また、本体ユニット２０外のユニットを音源とする再生時には、制御部２９はノードバインドテーブルＴ１に当該ユニットが含まれているか否かを調べる（ステップＳＣ１）。ここでは本体ユニット２０以外に音源を有するユニットは単位ネットワークＮ１に存在しないことから、制御部２９は無線ユニット２８を制御し、スピーカユニット３０に対して、再生に必要なユニットが見つからない旨のデータを送信する（ステップＳＣ７）。これにより、スピーカユニット３０の液晶タッチパネル３１には、再生に必要なユニットが見つからない旨の情報が表示される。
【００５６】
（４）音量調節動作
次に、再生音量を調節する動作について説明する。図３に示す接続関係が実現されている状況下で使用者がリモコン４０を操作して音量の増減指示を入力すると、当該指示が単位ネットワークＮ２内の全スレーブノードへ送信される。ただし、本体ユニット２０は音量調節機能を持たないため、無線ユニット２８が当該指示を受信しても、制御部２９は何もしない。よって、本体ユニット２０においては何も行われない。
【００５７】
音量の増減指示がスピーカユニット３０の無線ユニット３５に受信されると、当該指示に従った制御部３９が音量値を当該指示に応じて増減する。また、液晶タッチパネル３１には新しい音量値を示す情報が表示される。以後、スピーカ３８から出力される音が音量値に応じた大きさとなる。
【００５８】
また、再生音量調節はスピーカユニット３０を直接的に操作することでも可能である。図１に示すように、スピーカユニット３０は操作のためのユーザインタフェースを提供していることから、これを操作することでスピーカユニット３０の再生音量を制御することができる。つまり、ユーザが液晶タッチパネル３１に表示された再生音量調節用の操作子に直接的に触れることで、制御部３９に設定された音量値が増減されるとともに、液晶タッチパネル３１に新しい音量値を示す情報が表示される。
【００５９】
（５）新規ユニット追加時のユーザチャンネルの設定動作
次に、無線コンポ１１へ無線コンポ１１に含まれていない新規ユニットを追加する際のユーザチャンネルの設定動作について説明する。ただし、ここでは、既に図３に示す接続関係が実現されているものとする。また、追加対象のユニットはＤＡＢ（デジタルオーディオ放送）の受信機能を有するＤＡＢチューナユニット６０であるものとする。
【００６０】
図１４はＤＡＢチューナユニット６０追加時のオーディオシステム１０を構成する要部の構成を示すブロック図であり、この図において図４と共通する部分には同一の符号が付されている。この図に示すＤＡＢチューナユニット６０において、６１はＤＡＢを受信し、受信したデジタルオーディオストリームを出力するＤＡＢチューナ、６２はＤＡＢチューナ６１から出力されたデジタルオーディオストリームを復調する復調器であり、ＤＡＢチューナ６１及び復調器６２は内部バス６３により接続されている。６４は仮想無線バス５０を介して他のノードと通信するための無線ユニットであり、復調器６２は復調後のデジタルオーディオストリームを圧縮符号化して無線ユニット６４へ供給する。６５は各部を制御する制御部である。
【００６１】
単位ネットワークＮ１においては、本体ユニット２０の無線ユニット２８がＤＡＢチューナユニット６０をスレーブノードとして検出し、無線ユニット６４との間にユーザチャンネルＣＨ１２を設定する（図１０R>０のステップＳＡ１〜ＳＡ３、図１１のステップＳＢ１〜ＳＢ３）。この際、制御部２９により、ＤＡＢチューナユニット６０に関する情報がノードバインドテーブルＴ１に追加される。また、単位ネットワークＮ２，Ｎ３においては、リモコン４０及びＰＣ１３がＤＡＢチューナユニット６０をスレーブノードとして検出し、無線ユニット６４との間にユーザチャンネルＣＨ２３及びユーザチャンネルＣＨ３３を設定する（ステップＳＡ１〜ＳＡ３，ＳＢ１〜ＳＢ３）。
【００６２】
上述の動作の結果、各ノードの接続関係は図１５に示す関係となる。図１５はオーディオシステム１０にＤＡＢチューナユニット６０を追加した後の各ノードの接続関係を示す概念図であり、この図において図３R>３と共通する部分には同一の符号が付されている。この図から明らかなように、ＤＡＢチューナユニット６０は単位ネットワークＮ１〜Ｎ３の各々にスレーブノードとして追加される。
【００６３】
（６）新規ユニットの再生動作
使用者がリモコン４０を操作してＤＡＢの受信再生指示を入力すると、当該指示がリモコン４０から本体ユニット２０、スピーカユニット３０及びＤＡＢチューナユニット６０へ送信される。
【００６４】
ＤＡＢの受信再生指示がＤＡＢチューナユニット６０の無線ユニット６４に受信されると、当該指示に従った制御部６５によりＤＡＢチューナユニット６０内の各部が制御される。この結果、当該指示に応じた番組がＤＡＢチューナ６１により受信され、この番組の内容であるデジタルオーディオストリームがＤＡＢチューナ６１から出力される。ＤＡＢチューナ６１から出力されたデジタルオーディオストリームは復調器６２において所定の形式に復調された後に圧縮符号化されて無線ユニット６４に供給され、無線ユニット６４から本体ユニット２０へ送信される。
【００６５】
また、ＤＡＢの受信再生指示が本体ユニット２０の無線ユニット２８に受信されると、制御部２９は、ＤＡＢチューナユニット６０から送信されてきたデジタルオーディオストリームを受信して伸長復号化し、その結果として得られるデジタルオーディオストリームとユーザチャンネルＣＨ１１に対して設定されたストリームバインド情報（ここではＬ＋Ｒ）とに基づいて所定の形式のストリームを生成し、これを圧縮符号化してスピーカユニット３０へ送信するように復調器２６及び無線ユニット２８を制御する（図１３のステップＳＣ６）。この結果、ＤＡＢチューナユニット６０から本体ユニット２０へ送信されてきたデジタルオーディオストリームからスピーカユニット３０に応じたデジタルオーディオストリームが生成され、このストリームがスピーカユニット３０へ送信される。
【００６６】
また、ＤＡＢの受信再生指示がスピーカユニット３０の無線ユニット３５に受信されると、スピーカユニット３０の液晶タッチパネル３１に、音源がＤＡＢであることを示す情報が表示される。この状況下で、本体ユニット２０からのデジタルオーディオストリームが無線ユニット３５に受信されると、このデータがＤＡＣ３６にて伸長復号化され、伸長復号化されたデジタルオーディオストリーム内の書誌情報が制御部３９により抽出され、当該書誌情報に応じた情報が液晶タッチパネル３１に表示される。以降の動作はＣＤの再生動作と同一であるため、その説明を省略する。
【００６７】
（７）スピーカユニット３０の追加によるＤＶＤ再生動作
図３に示す接続関係が実現されている状況下で新たにスピーカユニット３０が追加されると、「（２）ユーザチャンネルの再設定動作」で述べた動作と同様の動作が行われる。ただし、スピーカユニット３０が新たに追加されることで単位ネットワークＮ１におけるスピーカユニット３０の数が変わるため、ユーザチャンネルＣＨ１１に対応したストリームバインド情報も変わり得る。したがって、スピーカユニットテーブルＴ２が更新される。具体的には、ユーザチャンネルＣＨ１１に対するストリームバインド情報はＬ＋Ｒ、ユーザチャンネルＣＨ１２に対するストリームバインド情報はＬＳ＋ＲＳとなり、これらの情報が本体ユニット２０及び両スピーカユニット３０に反映される。
【００６８】
この結果、最初から存在するスピーカユニット３０の液晶タッチパネル３１には自ユニットに割り当てられたストリームバインド情報がＬ＋Ｒであることが、後から追加されたスピーカユニット３０の液晶タッチパネル３１には自ユニットに割り当てられたストリームバインド情報がＬＳ＋ＲＳであることが表示される（図１０のステップＳＡ４〜ＳＡ６，図１１のステップＳＢ１〜ＳＢ３）。この状況下で更にスピーカユニット３０を追加すると、上述と同様の動作が繰り返し行われ、ユーザチャンネルＣＨ１４及が追加される。ここで、ユーザチャンネルＣＨ１１，ＣＨ１２，ＣＨ１３，ＣＨ１４に対するストリームバインド情報はそれぞれ、Ｌ＋Ｒ，ＬＳ＋ＲＳ，Ｃ，ＬＦＥとなる。
【００６９】
このような状況下でのＤＶＤ再生開始時には、制御部２９は、復調後のＬ、Ｒ、ＬＳ、ＲＳ、Ｃ、ＬＦＥの計６つのオーディオチャンネル成分からなるストリームに対して、再生開示時点の無線リソースの空き情報に応じた重み付けに従った間引き処理を行い、スピーカユニットテーブルＴ２においてユーザチャンネルＣＨ１１，ＣＨ１２，ＣＨ１３，ＣＨ１４に対してそれぞれ設定されたストリームバインド情報（ここではＬ＋Ｒ、ＬＳ＋ＲＳ、Ｃ、ＬＦＥ）に応じた所定の形式の４つのデジタルオーディオストリームを間引き処理後のデジタルオーディオストリームから生成し、生成されたデジタルオーディオストリームを、各々に対応するユーザチャンネルを介して送信するように復調器２６及び無線ユニット２８を制御する（図１３のステップＳＣ４，ＳＣ５）。
【００７０】
この結果、最初から存在するスピーカユニット３０ではＬ及びＲオーディオチャンネル成分に応じた音が、最初に追加されたスピーカユニット３０ではＬＳ及びＲＳオーディオチャンネル成分に応じた音が、次に追加されたスピーカユニット３０ではＣオーディオチャンネル成分に応じた音が、最後に追加されたスピーカユニット３０ではＬＦＥオーディオチャンネル成分に応じた音が出力される。
【００７１】
ここでスピーカユニット３０の追加を繰り返して計６個のスピーカユニット３０が単位ネットワークＮ１内に存在する場合のストリーム転送イメージの一例を図１６に示す。この図においては各矢印がユーザチャンネルに対応しており、矢印の太さは使用される無線リソースの量（帯域）を示している。この図に示すように、Ｌ及びＲオーディオチャンネル成分の転送には最も多くの無線リソースが、ＬＦＥオーディオチャンネル成分の転送には最小の無線リソースが割り当てられる。なお、無線リソースの空き状況が少ない場合には、ＬＳ、ＲＳ、Ｃ及びＬＦＥオーディオチャンネル成分の帯域比が小さくなることから、これらのオーディオチャンネル成分に対応したユーザチャンネルの専有帯域はより狭くなる。
【００７２】
（８）ストリームバインド変更動作
使用者の操作に応じてリモコン４０から本体ユニット２０へストリームバインド変更指示が供給されると、本体ユニット２０の制御部２９は、現在のスピーカ３８の数に応じてストリームバインドテーブルＴ３に設定されたストリームバインド種別情報を巡回的に変更するとともに、現在のスピーカ３８の数とストリームバインド種別情報とストリームバインド一覧テーブルＴ４とに基づいて、ノードバインドテーブルＴ１内のユーザチャンネル情報で表される各ユーザチャンネルに対してスピーカユニットテーブルＴ２に設定されたストリームバインド情報を変更し、この変更結果を対応するユーザチャンネル経由で送信する。これにより、各スピーカ３８に割り当てられているストリームバインド情報が変更される。
【００７３】
（９）ダウンロード動作
図３に示す接続関係が実現されている状況下で、使用者がＰＣ１３を操作してインターネット１２から所望のデータをダウンロードし、このデータをスピーカユニット３０のユーザインタフェースを実現するためのデータとして設定する旨の指示を入力すると、当該指示およびデータがスピーカユニット３０へ送信される。スピーカユニット３０では当該指示およびデータを受信すると、制御部３９が当該データの正当性を判断し、正当であれば当該データで旧データを上書きする。以後、スピーカユニット３０が提供するユーザインタフェースは新たなユーザインタフェースとなる。なお、正当でない場合には上記上書き処理は行われない。また、本実施形態では液晶タッチパネル３１を採用しているため、表示画面上の操作子の配置をも変更するようなユーザインタフェースの変更を行うことも可能である。
【００７４】
また、使用者がＰＣ１３を操作してインターネット１２から所望のデータをダウンロードし、このデータをデジタルオーディオデータとして本体ユニット２０に記録する旨の指示を入力すると、当該指示およびデータが本体ユニット２０へ送信される。本体ユニット２０では当該指示およびデータを受信すると、制御部２９が当該データの正当性を判断し、正当であれば当該データを半導体録再部２５に格納する。なお、リモコン４０はインターネット１２からデジタルオーディオデータをダウンロードする機能を備えていることから、デジタルオーディオデータのダウンロードについてはＰＣ１３に代えてリモコン４０を用いることも可能である。
【００７５】
Ｅ：補足
なお、本実施形態では本体ユニット２０の操作をリモコン４０を用いて行う例を示したが、本体ユニット２０に操作子を設け、リモコン４０を用いずとも本体ユニット２０を操作できるようにしてもよいことは言うまでもない。また、本実施形態では本体ユニット２０によるデジタルオーディオストリームの録再機能を限定して説明したが、これに限定されるものではない。例えば、ＤＡＢチューナユニット６０からのデジタルオーディオストリームを本体ユニット２０にてＭＤに記録できるようにしてもよい。
【００７６】
さらに、本実施形態では、本体ユニット２０とスピーカユニット３０との間で一つのユーザチャンネルを設定し、これを例えばＬオーディオチャンネルとＲオーディオチャンネルで共用したが、２つのユーザチャンネルを設定し、一方をＬオーディオチャンネル用、他方をＲオーディオチャンネル用としてもよいし、一方をＬオーディオチャンネル成分とＲオーディオチャンネル成分との和用、他方を差用としてもよい。
【００７７】
また、本実施形態では、ＤＡＢチューナユニット６０から送信されたデジタルオーディオストリームを本体ユニット２０がスピーカユニット３０へ中継するようにしたが、ＤＡＢチューナユニット６０をマスターノード、スピーカユニット３０をスレーブノードとした単位ネットワークを新設し、ＤＡＢチューナユニット６０からスピーカユニット３０へ直接的にデジタルオーディオストリームを送信できるようにしてもよい。
【００７８】
さらに、本実施形態では、スピーカユニット３０のユーザインタフェースや本体ユニット２０に記録されるデジタルオーディオデータをダウンロードする例を示したが、これに限らず、例えば、オーディオシステム１０全体の各種プログラム（制御プログラムや通信プログラム等）をダウンロードし更新できるようにしてもよい。
【００７９】
なお、本発明は様々な態様を包含するものであり、上述した実施形態に限定されるものではない。例えば、本発明に適用される無線ＬＡＮの方式はマスター／スレーブ方式に限定されないし、２．４ＧＨｚ帯を使用しなくてもよい。また、携帯電話機能を備えていないリモコンであってもよいし、リモコンが携帯電話機以外の付加機能を備えていてもよい。さらに、実施形態において圧縮符号化するようにしたのは現状の家庭内無線ネットワークの帯域が狭いためであり、充分に広い帯域を確保できるのであれば、圧縮符号化は不要である。
【図面の簡単な説明】
【００８０】
【図１】本発明の一実施形態に係る無線コンポ１１を用いたオーディオシステム１０の全体構成を示す図である。
【図２】無線コンポ１１を構成するスピーカユニット３０の外観を示す図である。
【図３】オーディオシステム１０における論理的な接続関係の一例を示す概念図である。
【図４】オーディオシステム１０を構成する要部の構成を示すブロック図である。
【図５】無線コンポ１１の本体ユニット２０に格納されたストリームバインド一覧テーブルＴ４のデータ構造を示す概念図である。
【図６】本体ユニット２０に格納された重み付けテーブルＴ５のデータ構造を示す概念図である。
【図７】本体ユニット２０に格納されたストリームバインドテーブルＴ３のデータ構造を示す概念図である。
【図８】本体ユニット２０に格納されたノードバインドテーブルＴ１のデータ構造を示す概念図である。
【図９】本体ユニット２０に格納されたスピーカユニットテーブルＴ２のデータ構造を示す概念図である。
【図１０】オーディオシステム１０におけるマスターノードのユーザチャンネル設定動作を示すフローチャートである。
【図１１】オーディオシステム１０におけるスレーブノードのユーザチャンネル設定動作を示すフローチャートである。
【図１２】オーディオシステム１０における論理的な接続関係の一例を示す概念図である。
【図１３】本体ユニット２０における再生設定動作を示すフローチャートである。
【図１４】ＤＡＢチューナユニット６０追加時のオーディオシステム１０を構成する要部の構成を示すブロック図である。
【図１５】オーディオシステム１０における論理的な接続関係の一例を示す概念図である。
【図１６】６個のスピーカユニット３０が単位ネットワークＮ１内に存在する場合のストリーム転送イメージの一例を示す概念図である。
【符号の説明】
【００８１】
１０……オーディオシステム、１１……無線コンポ、１２……インターネット、１３……ＰＣ、２０……本体ユニット、３０……スピーカユニット、４０……リモコン、５０……仮想無線バス、６０……ＤＡＢチューナユニット、２１……メディアスロット、２２……ＭＤプレーヤ、２３……ＣＤプレーヤ、２４……ＤＶＤプレーヤ、２５……半導体録再部、２６，６２……復調器、２７，６３……内部バス、２８，３５，６４……無線ユニット、２９，３９，６５……制御部、３１……液晶タッチパネル、３２……放音部、３３……電源ケーブル、３４……収納部、３６……ＤＡＣ、３７……アンプ、３８……スピーカ、６１……ＤＡＢチューナ、ＣＨ１１〜ＣＨ１５，ＣＨ２１〜ＣＨ２３，ＣＨ３１〜ＣＨ３３……ユーザチャンネル、ＣＣＨ１〜ＣＣＨ３……制御チャンネル。
【図１】
2005341618.tif 000003
【図２】
2005341618.tif 000004
【図３】
2005341618.tif 000005
【図４】
2005341618.tif 000006
【図５】
2005341618.tif 000007
【図６】
2005341618.tif 000008
【図７】
2005341618.tif 000009
【図８】
2005341618.tif 000010
【図９】
2005341618.tif 000011
【図１０】
2005341618.tif 000012
【図１１】
2005341618.tif 000013
【図１２】
2005341618.tif 000014
【図１３】
2005341618.tif 000015
【図１４】
2005341618.tif 000016
【図１５】
2005341618.tif 000017
【図１６】
2005341618.tif 000018